(57)【要約】      （修正有）【課題】反復的な使用に対してユーザがタグのシートを交換でき、識別機能を損なわずに保持することが可能なキータグを提供する。【解決手段】キータグ１は、凹部１１及び一端の近くにおける貫通穴１５，１６を備える本体１０、凹部において収容されるタグシート１２、及び該タグシートが凹部内で留められるよう本体に適応して係合されるカバーシート１４を有する。【選択図】図１
2012042956.tif 000002
【特許請求の範囲】
【請求項１】
キータグであって、
凹部及び一端の近くにおける貫通穴を有する本体と、
該本体の前記凹部において収容されるタグシートと、
前記本体に適応して係合されるときに前記タグシートを前記凹部において留めるためのカバーシートと、
を有するキータグ。
【請求項２】
前記凹部を貫通する開口を更に有する、
請求項１記載のキータグ。
【請求項３】
前記貫通穴は、キーリングに連結するための接続リングを具備される、
請求項１記載のキータグ。
【請求項４】
前記本体の他端において与えられる他の貫通穴を更に有する、
請求項１記載のキータグ。
【請求項５】
前記他の貫通穴を形成するよう前記本体の端部から延在されるリング部を更に有する、
請求項４記載のキータグ。
【請求項６】
前記カバーシートは透明な材料を有して作られる、
請求項１記載のキータグ。
【請求項７】
前記カバーシートは、部分的に透明な材料を有して作られる、
請求項１記載のキータグ。
【請求項８】
キータグであって、
凹部と表面において突出するよう与えられる突出部とを備える本体と、
該本体の前記凹部において収容されるタグシートと、
前記本体に適応して係合されるときに前記タグシートを前記凹部において留めるためのカバーシートと、
を有し、
前記突出部は貫通穴を与えられる、
キータグ。
【請求項９】
前記凹部を貫通する開口を更に有する、
請求項８記載のキータグ。
【請求項１０】
前記貫通穴は、キーリングに連結するための接続リングを具備される、
請求項８記載のキータグ。
【請求項１１】
前記本体の一端において与えられる他の貫通穴を更に有する、
請求項８記載のキータグ。
【請求項１２】
前記貫通穴を形成するよう前記本体の端部から延在されるリング部を更に有する、
請求項１１記載のキータグ。
【請求項１３】
前記カバーシートは透明な材料を有して作られる、
請求項８記載のキータグ。
【請求項１４】
前記カバーシートは、部分的に透明な材料を有して作られる、
請求項８記載のキータグ。
【発明の詳細な説明】
【技術分野】
【０００１】
本発明は鍵識別器具に係り、より特にはキータグ（鍵のタグ、key  tag）に係る。
【背景技術】
【０００２】
一般的にプラスチック、革、又は金属材料によって一体構造で作られる従来のキータグによれば、ユーザは、識別を目的としてマーカーを使用して文字又は記号でキータグ上にラベル付けをし得る。しかしながら、かかるキータグは通常１回のみの使用に対して有効である。更には、従来のキータグ上にラベル付けされた文字又は記号は、外的摩擦に晒されるため取れてしまう傾向があり、本来意図された識別機能が失われ得る。
【発明の概要】
【発明が解決しようとする課題】
【０００３】
本発明は、反復的な使用に対してユーザがタグのシートを交換し得るキータグを与える、ことを目的とする。
【０００４】
本発明はまた、カバーシート及び本体がタグシートを外的摩擦から保護するよう適応して係合され、それによって識別機能を損なわずに保持するキータグを与える、ことを目的とする。
【課題を解決するための手段】
【０００５】
上述された目的を達成するよう、本発明に従ったキータグは、凹部と一端の近くにおける貫通穴とを備える本体、凹部において受容されるタグシート、及び、タグシートを凹部内に留めておくよう本体に適応して係合されるカバーシートを有する。
【０００６】
本発明のキータグによれば、当該キータグは凹部を貫通する開口を更に有する。
【０００７】
本発明のキータグによれば、当該キータグの貫通穴はキーリングと連結するための接続リングを具備される。
【０００８】
本発明のキータグによれば、当該キータグの本体は、該本体の他端近くにおいて他の貫通穴を更に有する。
【０００９】
本発明のキータグによれば、当該キータグは、他の貫通穴を形成するよう本体の端部から延在されるリング部を更に有する。
【００１０】
本発明によれば、当該キータグのカバーシートは透明な材料を有して作られる。
【００１１】
本発明によれば、当該キータグのカバーシートは一部透明な材料を有して作られる。
【００１２】
更には、本発明に従ったキータグは、凹部と表面において突出するよう与えられる突出部とを備える本体、凹部において受容されるタグシート、及び、タグシートを凹部内に留めておくよう本体に適応して係合されるカバーシートを有する。突出部は貫通穴を具備される。
【００１３】
本発明のキータグによれば、当該キータグは、凹部を貫通する開口を更に有する。
【００１４】
本発明のキータグによれば、当該キータグの貫通穴は、キーリングに連結するための接続リングを具備される。
【００１５】
本発明のキータグによれば、当該キータグの本体は、該本体の一端近くにおいて他の貫通穴を更に有する。
【００１６】
本発明のキータグによれば、当該キータグは、他の貫通穴を形成するよう本体の端部から延在されるリング部を更に有する。
【００１７】
本発明によれば、当該キータグのカバーシートは透明な材料を有して作られる。
【００１８】
本発明によれば、当該キータグのカバーシートは一部透明な材料を有して作られる。
【００１９】
添付の図面は、本発明に関して更なる理解を与えるよう含まれ、本明細書の一部に組み込まれて該一部を形成する。図面は、本発明の実施例を示し、明細書と併せて本発明の原理を説明する役割を有する。
【図面の簡単な説明】
【００２０】
【図１】本発明の望ましい一実施例に従ったキータグの立面図である。
【図２】図１中の本体１０の正面図である。
【図３】図１中の本体１０の背面図である。
【図４】本発明の他の望ましい一実施例に従ったキータグの背面図である。
【発明を実施するための形態】
【００２１】
図１は、本発明の望ましい一実施例に従ったキータグの立面図である。図１に示される通り、キータグ１は、本体１０、タグシート１２、及びカバーシート１４を有する。本体１０は、タグシート１２を収容するための凹部１１を有する。カバーシート１４及び本体１０を適応させて係合させることによって、タグシート１２は凹部１１において留められる。カバーシート１４及び凹部１１は、互いに協働するよう同一又は同様の形状及び面積寸法を有する。本実施例において、カバーシート１４及び凹部１１はいずれも矩形である。しかしながら、カバーシート１４及び凹部１１が適応して係合され得る限りいかなる形状又はパターンも適切であることは、当業者にとって明らかである。
【００２２】
ユーザがタグシート１２に文字又は記号でラベル付けし得るよう、タグシート１２は、紙、プラスチック、アクリル、金属、木、及び竹、望ましくはその上方においてインクの接着が可能である材料を有して作られ得る。カバーシート１４は、タグシート１２を外的摩擦から保護することができるため、従来のタグが外的摩擦により取れてしまう傾向があるという先行技術に関連付けられる問題点は完全に防止される。望ましくは、カバーシート１４は、ユーザがタグシート１２上の文字又は記号を容易に識別するよう透明又は一部透明の材料を有して作られる。
【００２３】
更に、開口１３は、凹部１１を貫通するよう本体１０の凹部１１において与えられる。カバーシート１４が本体１０に係合されるときにユーザがタグシート１２の変更又はタグシート１２上の文字又は記号の修正を望む場合、ユーザは、開口１３を押してカバーシート１４を本体１０から外し得る。故にユーザは、タグシート１２上の文字又は記号を修正することができるか、あるいは元のタグシート１２を新しいものと直接交換することができる。
【００２４】
更に、本体１０はその２つの端部において夫々、第１の貫通穴及び第２の貫通穴を具備される。第１の貫通穴１５は、キーリング３と連結するための接続リング
２を与えられ、該キーリング３は更にキー（図示せず）と連結する。同様に、キーリング３は、第１の貫通穴１５と直接連結されてもよい。
【００２５】
本実施例によれば、第２の貫通穴１６は、本体１０の一端から延在するリング部１７によって形成される。第２の貫通穴１６は、キータグ１を固定されたフックに対して取り付けるためのものである。
【００２６】
図２は本体１０の正面図であり、図３は本体１０の背面図である。
【００２７】
図４は、本発明の望ましい一実施例に従ったキータグの背面図である。図４中の実施例と図１乃至３中の実施例との間の主な差異は、図４中の実施例に従った本体１０の背部が突出部１８を有するという点である。言い換えれば、突出部１８は本体１０の背部において突出し、本発明の一実施例の第１の貫通穴１５は突出部１８において与えられる。前述された通り、第１の貫通穴１５は、キーリング３に連結する接続リング２を与えられ、該接続リングは更にキーに連結する。同様に、キーリング３は、第１の貫通穴１５に直接連結してもよい。
【００２８】
実施例の説明により、ユーザは、反復される使用に対して所望の通りにタグシート１２を変更することができる。更に、カバーシート１４及び本体１０を適応させて係合させることによって、タグシート１２はその識別機能を損なわずに維持するよう外的摩擦から保護される。
【００２９】
本発明は、現時点において最も実用的且つ望ましい実施例であると考えられるものに関して説明されてきたが、本発明が上述された実施例に限定される必要がないことは明らかである。更には、最も広い解釈に合致する添付の請求項の趣旨及び範囲内に含まれる多種の修正及び類似する配置を対象とすることが意図され、かかる修正及び類似の構造を全て包含する。
【符号の説明】
【００３０】
１  キータグ
２  接続リング
３  キーリング
１０  本体
１１  凹部
１２  タグシート
１３  開口
１４  カバーシート
１５  第１の貫通穴
１６  第２の貫通穴
１７  リング部
１８  突出部
【図１】
2012042956.tif 000003
【図２】
2012042956.tif 000004
【図３】
2012042956.tif 000005
【図４】
2012042956.tif 000006